【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
入射した放射線を画像信号に変換する放射線センサと、
前記放射線センサを支持する基台と、
前記基台を挟んで前記放射線センサが配置されている方向と反対方向に設けられ、前記放射線センサと電気的に接続され、駆動することによって発熱する電子部品と、
前記放射線センサ、前記基台および前記電子部品を内包する筐体と、
前記電子部品において前記基台が配置されている方向と反対方向に設けられており、前記電子部品の前記発熱によって発生した熱を前記筐体に伝熱させる伝熱部材と、
前記基台と前記伝熱部材とを支持する支持部材と、
を有し、
前記伝熱部材における、前記筐体と接触している箇所と、前記電子部品と接触している箇所とが、前記放射線センサの入射面側から見て、互いに重ならない位置に配置されていることを特徴とする放射線撮影装置。
【請求項２】
入射した放射線を画像信号に変換する放射線センサと、
前記放射線センサを支持する基台と、
前記基台を挟んで前記放射線センサが配置されている方向と反対方向に設けられ、前記放射線センサと電気的に接続され、駆動することによって発熱する電子部品と、
前記放射線センサ、前記基台および前記電子部品を内包する筐体と、
前記電子部品において前記基台が配置されている方向と反対方向に設けられており、前記電子部品の前記発熱によって発生した熱を前記筐体に伝熱させる伝熱部材と、
前記基台と前記伝熱部材とを支持する支持部材と、
を有し、
前記伝熱部材は、前記筐体の前記放射線が入射する入射面とは反対側の面に前記熱を伝達することを特徴とする放射線撮影装置。
【請求項３】
入射した放射線を画像信号に変換する放射線センサと、
前記放射線センサを支持する基台と、
前記基台を挟んで前記放射線センサが配置されている方向と反対方向に設けられ、前記放射線センサと電気的に接続され、駆動することによって発熱する電子部品と、
前記放射線センサ、前記基台および前記電子部品を内包する筐体と、
前記電子部品において前記基台が配置されている方向と反対方向に設けられており、前記電子部品の前記発熱によって発生した熱を前記筐体に伝熱させる伝熱部材と、
前記基台と前記伝熱部材とを支持する支持部材と、
を有し、
前記伝熱部材は、前記筐体と接触している箇所と前記電子部品と接触している箇所との間の領域であって前記支持部材が接していない領域に段曲げ部が設けられていることを特徴とする放射線撮影装置。
【請求項４】
入射した放射線を画像信号に変換する放射線センサと、
前記放射線センサを支持する基台と、
前記基台を挟んで前記放射線センサが配置されている方向と反対方向に設けられ、前記放射線センサと電気的に接続され、駆動することによって発熱する電子部品と、
前記放射線センサ、前記基台および前記電子部品を内包する筐体と、
前記電子部品において前記基台が配置されている方向と反対方向に設けられており、前記電子部品の前記発熱によって発生した熱を前記筐体に伝熱させる伝熱部材と、
前記基台と前記伝熱部材とを支持する支持部材と、
を有し、
前記伝熱部材は、前記筐体と接触している箇所と前記電子部品と接触している箇所との間の領域であって前記支持部材が接していない領域に開孔部が設けられていることを特徴とする放射線撮影装置。
【請求項５】
前記伝熱部材は、
前記熱を吸熱する吸熱部材と、
前記吸熱部材で吸熱した熱を伝導させる熱伝導部材と、
前記熱伝導部材で伝導させた熱を前記筐体に排出する排熱部材と、
含むことを特徴とする請求項１乃至４のいずれか１項に記載の放射線撮影装置。
【請求項６】
前記支持部材は、前記基台と前記熱伝導部材とを支持することを特徴とする請求項５に記載の放射線撮影装置。
【請求項７】
前記熱伝導部材は、前記吸熱部材が接している部分と前記排熱部材が接している部分との間の領域であって前記支持部材が接していない領域に段曲げ部が設けられており、
前記段曲げ部は、前記吸熱部材が接している部分に対して前記排熱部材が接している部分を前記基台に近づける方向または遠ざける方向に曲げられていることを特徴とする請求項５または６に記載の放射線撮影装置。
【請求項８】
前記放射線センサと前記電子部品との間に断熱部材を更に有することを特徴とする請求項１乃至７のいずれか１項に記載の放射線撮影装置。
【請求項９】
前記筐体は、前記放射線が入射する入射面とは反対の面に把持用の凹み部が設けられており、
前記電子部品は、前記入射面の側からみて、前記凹み部よりも前記筐体の外側に配置されていることを特徴とする請求項１乃至８のいずれか１項に記載の放射線撮影装置。
【請求項１０】
前記筐体は、
前記放射線の入射面に配置された放射線透過板と、
前記入射面とは反対側の面に配置された後部筐体と、
前記放射線透過板と前記後部筐体との間に配置された前部筐体と、
を備え、
前記伝熱部材は、前記電子部品の発熱により発生した熱を前記後部筐体に伝達することを特徴とする請求項１乃至９のいずれか１項に記載の放射線撮影装置。
【請求項１１】
前記後部筐体は、ＣＦＲＰで形成されていることを特徴とする請求項１０に記載の放射線撮影装置。
【請求項１２】
前記熱伝導部材は、金属で形成されていることを特徴とする請求項５乃至７のいずれか１項に記載の放射線撮影装置。
【請求項１３】
前記吸熱部材及び前記排熱部材は、放熱用接着剤で形成されていることを特徴とする請求項５乃至７のいずれか１項に記載の放射線撮影装置。
【請求項１４】
前記吸熱部材及び前記排熱部材は、シリコンゴムシート及び熱伝導性グリスの少なくともいずれか１つで形成されていることを特徴とする請求項１３に記載の放射線撮影装置。
【請求項１５】
前記支持部材は、断熱材で形成されていることを特徴とする請求項１乃至１４のいずれか１項に記載の放射線撮影装置。
【請求項１６】
前記伝熱部材は、ねじ締結により前記支持部材に固定されることを特徴とする請求項１乃至１５のいずれか１項に記載の放射線撮影装置。
【手続補正２】
【補正対象書類名】明細書
【補正対象項目名】０００８
【補正方法】変更
【補正の内容】
【０００８】
本発明の放射線撮影装置は、入射した放射線を画像信号に変換する放射線センサと、前記放射線センサを支持する基台と、前記基台を挟んで前記放射線センサが配置されている方向と反対方向に設けられ、前記放射線センサと電気的に接続され、駆動することによって発熱する電子部品と、前記放射線センサ、前記基台および前記電子部品を内包する筐体と、前記電子部品において前記基台が配置されている方向と反対方向に設けられており、前記電子部品の前記発熱によって発生した熱を前記筐体に伝熱させる伝熱部材と、前記基台と前記伝熱部材とを支持する支持部材と、を有し、前記伝熱部材における、前記筐体と接触している箇所と、前記電子部品と接触している箇所とが、前記放射線センサの入射面側から見て、互いに重ならない位置に配置されている。
本発明の放射線撮影装置における他の態様は、入射した放射線を画像信号に変換する放射線センサと、前記放射線センサを支持する基台と、前記基台を挟んで前記放射線センサが配置されている方向と反対方向に設けられ、前記放射線センサと電気的に接続され、駆動することによって発熱する電子部品と、前記放射線センサ、前記基台および前記電子部品を内包する筐体と、前記電子部品において前記基台が配置されている方向と反対方向に設けられており、前記電子部品の前記発熱によって発生した熱を前記筐体に伝熱させる伝熱部材と、前記基台と前記伝熱部材とを支持する支持部材と、を有し、前記伝熱部材は、前記筐体の前記放射線が入射する入射面とは反対側の面に前記熱を伝達する。
また、本発明の放射線撮影装置におけるその他の態様は、入射した放射線を画像信号に変換する放射線センサと、前記放射線センサを支持する基台と、前記基台を挟んで前記放射線センサが配置されている方向と反対方向に設けられ、前記放射線センサと電気的に接続され、駆動することによって発熱する電子部品と、前記放射線センサ、前記基台および前記電子部品を内包する筐体と、前記電子部品において前記基台が配置されている方向と反対方向に設けられており、前記電子部品の前記発熱によって発生した熱を前記筐体に伝熱させる伝熱部材と、前記基台と前記伝熱部材とを支持する支持部材と、を有し、前記伝熱部材は、前記筐体と接触している箇所と前記電子部品と接触している箇所との間の領域であって前記支持部材が接していない領域に段曲げ部が設けられている。
また、本発明の放射線撮影装置におけるその他の態様は、入射した放射線を画像信号に変換する放射線センサと、前記放射線センサを支持する基台と、前記基台を挟んで前記放射線センサが配置されている方向と反対方向に設けられ、前記放射線センサと電気的に接続され、駆動することによって発熱する電子部品と、前記放射線センサ、前記基台および前記電子部品を内包する筐体と、前記電子部品において前記基台が配置されている方向と反対方向に設けられており、前記電子部品の前記発熱によって発生した熱を前記筐体に伝熱させる伝熱部材と、前記基台と前記伝熱部材とを支持する支持部材と、有し、前記伝熱部材は、前記筐体と接触している箇所と前記電子部品と接触している箇所との間の領域であって前記支持部材が接していない領域に開孔部が設けられている。